(57)【要約】【課題】専用のポップアップ完了検出装置を具備することなく、ストロボ手段がポップアップしたか否かを検出可能な撮像装置を提供する。【解決手段】撮像装置に加わる振動を検出する振動検出手段と、ポップアップ式のストロボ手段と、ストロボ手段をストロボ照射可能なポップアップ位置に変位させる指令を出す指令手段とを有し、前記指令手段からのポップアップ指令と前記振動検出手段の出力に基づいて、前記ストロボ手段のポップアップの有無を検出するポップアップ検出手段（Ｓ３０３〜３０６）を有する。【選択図】図３
2006220900.tif 000002
【特許請求の範囲】
【請求項１】
撮像装置に加わる振動を検出する振動検出手段と、
ポップアップ式のストロボ手段と、
収納位置にある前記ストロボ手段をストロボ照射可能なポップアップ位置に変位させる指令を出す指令手段と、
前記ポップアップ指令にしたがい、収納位置にある前記ストロボ手段をポップアップ位置に変位させる駆動手段と、
を有する撮像装置であって、
前記指令手段からのポップアップ指令と前記振動検出手段の出力に基づいて、前記ストロボ手段のポップアップの有無を検出するポップアップ検出手段を有することを特徴とする撮像装置。
【請求項２】
前記指令手段よりポップアップ指令があり、かつ、前記振動検出手段からの信号の振幅レベル及び周波数が所定条件を満たしている場合に、前記ストロボ手段のポップアップが有ったことを検出すること特徴とする請求項１に記載の撮像装置。
【請求項３】
前記駆動手段は、前記ストロボ手段の収納位置での保持の解除をコイルへの通電により行うものであり、
前記ポップアップ指令時に、前記ポップアップ検出手段によりポップアップ有りが検出されない場合は検出されるまで、前記コイルへの通電量を段階的に増加させることを特徴とする請求項１に記載の撮像装置。
【請求項４】
前記コイルへの通電量を段階的に増加させた際に、所定の通電量の範囲外になった場合には、表示手段により警告表示を行うことを特徴とする請求項３に記載の撮像装置。
【発明の詳細な説明】
【技術分野】
【０００１】
本発明は、ポップアップ式のストロボ手段を有する撮像装置に関するものである。
【背景技術】
【０００２】
近年、デジタルカメラ等の撮像装置を扱うときに問題となる手ブレ等の振動を補正する機能（以下、防振機能）を搭載したコンパクトタイプの撮像装置が増えてきている。特に、手ブレが目立つ高倍率ズーム機では防振機能の需要はより高くなる傾向にある。また、高倍率、かつコンパクトタイプの撮像装置においては、突出した鏡筒でストロボ光がケラレないようにするため、ポップアップ式のストロボ装置の採用も多くなってきている。
【０００３】
上記２つの構成、即ち防振機能とポップアップ式のストロボ装置を備えた撮像装置の中には、ポップアップ時の振動を、手ブレ等の振動の補正に使用されるシフトレンズを用いて補正する撮像装置がある（特許文献１）。
【特許文献１】特開２００３−１７２９６１号公報
【発明の開示】
【発明が解決しようとする課題】
【０００４】
従来のポップアップ式のストロボ装置は、コイルへの通電によりマグネットの磁気力を消滅させ、ポップアップを促すものが広く採用されている。この場合、ポップアップが完了したか否かの判定は、ポップアップ完了を検出する専用の装置を設ける必要があった。
【０００５】
一方、近年デジタルカメラのコンパクト化が進むことにより、部品点数の削減が求められ、上記のポップアップ完了検出装置は削除の対象となる場合がある。この場合、ポップアップが正常に完了したか否かを判定する装置がなくなることになる。したがって、固体差を考慮しつつ、ポップアップを確実に完了させるために、前記コイルへの通電量を、正常にポップアップさせることができる通電量よりも大きく設定しておく必要が生じ、その結果、消費電流が大きくなるといった傾向にあった。
【０００６】
（発明の目的）
本発明の第１の目的は、専用のポップアップ完了検出装置を具備することなく、ストロボ手段がポップアップしたか否かを検出することのできる撮像装置を提供しようとするものである。
【０００７】
本発明の第２の目的は、上記第１の目的を達成するとともに、ポップアップさせるための駆動手段のコイルへの通電量を最適に保ち、無駄な消費電流を無くすことのできる撮像装置を提供しようとするものである。
【０００８】
本発明の第３の目的は、上記第１および２の目的を達成するとともに、ストロボ手段のポップアップを正常に行えないことを使用者に認識させることのできる撮像装置を提供しようとするものである。
【課題を解決するための手段】
【０００９】
上記第１の目的を達成するために、請求項１に記載の発明は、撮像装置に加わる振動を検出する振動検出手段と、ポップアップ式のストロボ手段と、収納位置にある前記ストロボ手段をストロボ照射可能なポップアップ位置に変位させる指令を出す指令手段と、前記ポップアップ指令にしたがい、収納位置にある前記ストロボ手段をポップアップ位置に変位させる駆動手段とを有する撮像装置であって、前記指令手段からのポップアップ指令と前記振動検出手段の出力に基づいて、前記ストロボ手段のポップアップの有無を検出するポップアップ検出手段を有する撮像装置とするものである。
【００１０】
上記第２の目的を達成するために、請求項３に記載の発明は、前記駆動手段が、前記ストロボ手段の収納位置での保持の解除をコイルへの通電により行うものであり、前記ポップアップ指令時に、前記ポップアップ検出手段によりポップアップ有りが検出されない場合は検出されるまで、前記コイルへの通電量を段階的に増加させる請求項１に記載の撮像装置とするものである。
【００１１】
上記第３の目的を達成するために、請求項４に記載の発明は、前記コイルへの通電量を段階的に増加させた際に、所定の通電量の範囲外になった場合には、表示手段により警告表示を行う請求項３に記載の撮像装置とするものである。
【発明の効果】
【００１２】
本発明によれば、専用のポップアップ完了検出装置を具備することなく、ストロボ手段がポップアップしたか否かを検出することができる撮像装置を提供できるものである。
【００１３】
さらに、本発明によれば、ポップアップさせるための駆動手段のコイルへの通電量を最適に保ち、無駄な消費電流を無くすことができる撮像装置を提供できるものである。
【００１４】
さらに、本発明によれば、ストロボ手段のポップアップを正常に行えないことを使用者に認識させることができる撮像装置を提供できるものである。
【発明を実施するための最良の形態】
【００１５】
本発明を実施するための最良の形態は、以下に記載の実施例に示す通りである。
【実施例】
【００１６】
図１は本発明の一実施例に係わる撮像装置の回路構成を示すブロック図であり、同図において、１０は撮影レンズ保護手段であるところのバリアであり、バリア制御部３６により制御される。１２はズームレンズであり、光学的な倍率の変化を行うためにズーム制御部３８により光軸方向の位置制御が行われる。１４はシフトレンズであり、手ブレもしくは揺れを補正するためにシフトレンズ制御部５６により光軸と直交する方向への位置制御が行われる。１６はフォーカスレンズであり、ピント合わせを行うために測距制御部４０により光軸方向の位置制御が行われる。１８は絞り機能を備えるシャッターであり、露光制御部４２により制御される。
【００１７】
２０は光学像を電気信号に変換する撮像素子である。２２はタイミング発生部であり、撮像素子２０、ＤＡ変換部２４、ＡＤ変換部２８にクロック信号を供給する。３０はメモリ制御部であり、タイミング発生部２２、ＤＡ変換部２４、画像処理部３４、ＡＤ変換部２８、画像表示記憶部３２を制御する。３４は画像処理部であり、ＡＤ変換部２８からのデータ、或いはメモリ制御部３０からのデータに対して所定の画素補間処理や色変換処理を行う。
【００１８】
上記ＡＤ変換部２８からのデータがメモリ制御部３０、画像処理部３４を介して、或いは、ＡＤ変換部２８のデータが直接メモリ制御部３０を介して、画像表示記憶部３２に書き込まれる。このように画像表示記憶部３２に書き込まれた表示用画像データは、ＤＡ変換部２４を介して画像表示部２６より表示される。この画像表示部２６を用いて撮像した画像データを逐次表示すれば、電子ファインダー機能を実現することが可能である。
【００１９】
８４はカメラシステム制御部であり、バリア制御部３６、ズーム制御部３８、測距制御部４０、露光制御部４２等の制御を行う。４６はメモリであり、所定枚数の静止画像や所定時間の動画像を格納するのに十分な記憶量を備えている。また、メモリ４６はカメラシステム制御部８４の作業領域としても使用することが可能である。５０はメモリカードやハードディスク等の記録媒体とのインタフェースである。
【００２０】
４４は電源であり、電池検出回路、ＤＣ−ＤＣコンバータ、通電するブロックを切り換えるスイッチ回路等により構成されており、電池の装着の有無、電池の種類、電池残量の検出を行い、検出結果及びカメラシステム制御部８４の指示に基づいてＤＣ−ＤＣコンバータを制御し、必要な電圧を必要な期間、記録媒体を含む各部へ供給する。５２は記録媒体が装着される記録部であり、インタフェース５０を介してカメラシステム制御部８４とアクセスを行う。
【００２１】
４８は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン等がある。
【００２２】
５４はポップアップ式のストロボ装置であり、詳細は図２を用いて後述する。６０は防振制御部である。６４は手ブレやストロボ装置のポップアップ時の揺れを含む撮像装置に加わる振動を検出する振動検出部であり、該振動検出部６４から出力される振動キャンセル量となる角速度信号はＡＤ変換部６２によりアナログデータからデジタルデータに変換される。この振動検出部６４の一例として、ジャイロを挙げることができる。
【００２３】
上記防振制御部６０は、ＡＤ変換部６２によりデジタルデータに変換された振動の角速度のキャンセル量を受け取り、積分演算を行うことにより基準倍率における振動キャンセル量を算出する。通常の場合、基準倍率はテレ側、即ち望遠側となる。倍率が変化した場合は、その倍率をａとし、基準倍率をｂとすると、振動キャンセル量にｂ÷ａを掛けた量が現在倍率における振動キャンセル量となる。この防振制御部６０において算出された最終的な振動キャンセル量は、ＤＡ変換部５８を介してデジタルデータからアナログデータに変換される。この防振制御部６０において出力されるデータ形式として、ＰＷＭ波形出力が挙げられる。５６はシフトレンズ制御部であり、ＤＡ変換部５８で変換された振動キャンセル量を用いてシフトレンズ１４を動作させることにより手ブレや揺れを含めた振動をキャンセルする。
【００２４】
８０はポップアップ振動判定部であり、振動検出部６４で捉えられた振動が手ブレであるか、ストロボ装置５４のポップアップ振動であるかを判定する。ストロボ装置５４がポップアップする際には、カメラシステム制御部８４よりポップアップ指令がポップアップ振動判定部８０および通電量調整部８２に伝達される。通電量調整部８２は、ポップアップ指令受信後にポップアップ振動が検出されなかった場合、プランジャー装置におけるコイルの通電量の調整を行うものである。
【００２５】
図２は、上記ストロボ装置５４の内部構成および該ストロボ装置５４を収納位置からストロボ照射可能なポップアップ位置に変位させる駆動手段であるプランジャー装置７２を示す構成図である。
【００２６】
図２において、５４は図１に示したポップアップ式のストロボ装置であり、ロック板５４ａを有している。７０は緊定レバーであり、プランジャー装置７２の鉄片７２ｃにより外力が加わっていない場合には自身に働くバネ力により図２（ａ）に示す垂直状態にある。この緊定レバー７０がロック板５４ａに掛かることにより、ストロボ装置５４が図２（ａ）に示す収納位置に係止される。
【００２７】
７２はプランジャー装置であり、ストロボ装置５４を収納位置からストロボ照射可能な状態であるポップアップ位置へ変位させるものである。このプランジャー装置７２は、鉄片７２ｃとコイル７２ａとマグネット７２ｂより構成されている。鉄片７２ｃはバネ力により押し出された状態で係止されている。コイル７２ａが無通電状態にあるときは、鉄片７２ｃは自身に働くバネ力を上回る磁気吸引力が発生することによりマグネット７２ｂに吸着される。コイル７２ａが通電状態にあるときは、該コイル７２ａに発生する電磁力によりマグネット７２ｂの磁気力が消滅し、鉄片７２ｃが自身に働くバネ力により押し出され、緊定レバー７０を図２（ａ）の状態から図２（ｂ）の状態に変位させる。
【００２８】
図２（ａ）はストロボ装置５４が収納位置にある状態を示している。この際、プランジャー装置７２内部のコイル７２ａには通電されていないため、緊定レバー７０によりロック板５４ａが係止されたままであり、ストロボ装置５４はポップアップしていない。
【００２９】
図２（ｂ）はストロボ装置５４がポップアップした瞬間の状態である。プランジャー装置７２内部のコイル７２ａへの通電が行われると、該コイル７２ａに発生する電磁力によりマグネット７２ｂの磁気力が消滅し、鉄片７２ｃが自身に働くバネ力により矢印Ａの方向に押し出される。その結果、鉄片７２ｃにより緊定レバー７０が押されて矢印Ｂの方向に変位するため、該緊定レバー７０によるロック板５４ａの係止が解除され、ストロボ装置５４が図示にようにポップアップする。
【００３０】
図２（ｃ）はストロボ装置５４がポップアップした後の状態である。プランジャー装置７２内部のコイル７２ａへの通電が断たれるため、鉄片７２ｃは自身に働くバネ力を上回る磁気吸引力が発生することによりマグネット７２ｂに吸着される。その結果、緊定レバー７０は自身に働くバネ力により初期の垂直状態に係止された状態となる。
【００３１】
上記ストロボ装置５４の収納位置へは、手動操作にて該ストロボ装置５４を押し下げることで実現される。詳しくは、この押し下げの途中において、ロック板５４ａの下方のＲ面が緊定レバー７０に当接するため、緊定レバー７０が図２（ｃ）の状態から図２（ｂ）の状態に変位し、ストロボ装置５４の押し下げがさらに進むとロック板５４ａの下方のＲ面が緊定レバー７０に当接しなくなる。その結果、緊定レバー７０が自身に働くバネ力により初期の垂直状態に係止された状態に戻り、この際、該緊定レバー７０が図２（ａ）に示すようにロック板５４ａを係止するため、ストロボ装置５４が収納位置に保持されることになる。
【００３２】
次に、上記のポップアップ振動判定部８０にて実行されるポップアップ振動判定処理について、図３のフローチャートにしたがって説明する。
【００３３】
ステップＳ３０１からポップアップ振動判定処理を開始し、まずステップＳ３０２では、時間カウンタの初期化を行う。この時間カウンタは、ポップアップ指令後の所定時間内にポップアップ振動があるかないかを判定する際に使用されるものである。次のステップＳ３０３では、カメラシステム制御部８４から送信されるポップアップ指令の有無を判定し、ポップアップ指令が無い場合はステップＳ３１０へ進み、ポップアップ指令が有る場合はステップＳ３０４へ進む。
【００３４】
上記ステップＳ３０３にてポップアップ指令が無い場合について、先に説明する。この場合は、上記のようにステップＳ３０３からステップＳ３１０へ進み、ポップアップフラグをＯＦＦにする。ポップアップフラグは、現在のストロボ装置５４がポップアップしているか、ポップダウン（収納位置にある状態を意味する）しているかを表すものであり、ポップアップしているときはポップアップフラグはＯＮであり、ポップアップダウンしているときはポップアップフラグはＯＦＦになる。その後はステップＳ３１１へ進み、通電量調整フラグをＯＦＦにする。通電量調整フラグは、通電量調整部８２において通電量レベルの変更を行うか否かを表すものであり、通電量レベルの変更を促すときは通電量調整フラグはＯＮであり、通電量レベルの変更を行わないときは通電量調整フラグはＯＦＦである。その後はステップＳ３１２へ進み、ポップアップ振動の判定処理を終了する。
【００３５】
上記ステップＳ３０３にてポップアップ指令が有る場合は、上記のようにステップＳ３０３からステップＳ３０４へ進み、時間カウンタの更新を行う。時間カウンタの更新は、ポップアップ指令後の時間経過をカウントさせることを意味する。次のステップＳ３０５では、上記ステップＳ３０４で更新された時間カウンタが所定時間相当のカウント数を超えているか超えていないかを判定する。時間カウンタが所定時間相当のカウント数を超えていると判定した場合はステップＳ３０９へ進み、ポップアップフラグをＯＦＦにする。このポップアップフラグをＯＦＦは、ポップアップ指令がなされてから所定時間が経過したにも関わらずポップアップ振動が確認できなかったことを意味する。このステップＳ３０９には、例えば経年変化によって、ストロボ装置５４を正常にポップアップさせるためのプランジャー装置７２のコイル７２ａへの通電量が適正でなくなった場合等に、来ることになる。
【００３６】
また、上記ステップＳ３０５にて、時間カウンタが所定時間相当のカウント数を超えていないと判定した場合はステップＳ３０６へ進み、ポップアップ振動の判定を行う。振動検出部６４で検出された信号の振幅レベルが所定振幅レベルを超えており、かつ、周波数が所定周波数未満であれば、所定時間内にポップアップ振動を検出したと判定する。周波数は、防振制御部６０において、信号の山と谷の個数をカウントすることにより算出する。ポップアップ振動は事前に検出しておき、その振幅量と周波数データはメモリ４６に保存されているものとする。このようにポップアップ振動を検出したと判定した場合はステップＳ３０６０からステップＳ３０７へ進み、ポップアップフラグをＯＮにする。
【００３７】
一方、振動検出部６４で検出された信号の振幅レベルが所定振幅レベル以下であり、かつ、周波数が所定周波数以上であれば、所定時間内にポップアップ振動を検出できていないと判定し、ステップＳ３０４の時間カウンタの更新処理に戻る。
【００３８】
上記ステップＳ３０７もしくはステップＳ３０９の後は、いずれの場合もステップＳ３０８へ進み、通電量調整フラグをＯＮにする。そしてステップＳ３１２へ進み、ポップアップ振動の判定処理を終了する。
【００３９】
以上のシーケンスにより、振動検出部６４を用いたポップアップの有無を判定できる。
【００４０】
次に、通電量調整部８２にて実行される通電量調節処理の動作について、図４のフローチャートにしたがって説明する。
【００４１】
ステップＳ３１３から通電量調節処理を開始し、まずステップＳ３１４では、通電量調節フラグがＯＮであるかＯＦＦであるかを判定する。通電量調節フラグがＯＦＦである場合、ポップアップ指令がないことを意味し、この場合はステップＳ３１８へ進み、直ちにこの通電量調節処理を終了する。
【００４２】
一方、通電量調節フラグがＯＮである場合、ポップアップ指令があり、かつポップアップ振動の有無判定が行われたことを意味し、この場合はステップＳ３１５へ進み、ポップアップフラグがＯＮであるかＯＦＦであるかを判定する。ポップアップフラグがＯＮである場合は、ポップアップが所定時間内に正常に行われたことを意味する。この場合は通常、通電量の調節を行う必要がないが、撮像装置の調整工程等で通電量の自動調整を行いたい場合（ストロボ装置５４を正常にポップアップさせることができるが、プランジャー装置７２のコイル７２ａへの通電量をもう少し低くしても良い場合等）はステップＳ３１７へ進み、通電量レベルダウンを行う。
【００４３】
一方、ポップアップフラグがＯＦＦである場合、ポップアップしなかったことを意味する。そのためステップＳ３１６へ進み、通電量レベルアップを行う。
【００４４】
上記ステップＳ３１７もしくはステップＳ３１６の後は、いずれの場合もステップＳ３１８へ進み、通電量調整処理を終了する。
【００４５】
上記の実施例によれば、ストロボ装置５４をポップアップさせる指令があり、振動検出部６４にて振動が検出されていれば（詳しくは、振動の角速度信号の振幅レベルが所定振幅レベルを超えており、かつ、周波数が所定周波数未満であれば）、ストロボ装置５４のポップアップが有ったと検出するようにしているので、従来にように専用のポップアップ完了検出装置を具備することなく、ストロボ手段がポップアップしたか否かを検出することが可能となる。
【００４６】
また、図４のステップＳ３１５→Ｓ３１６の動作を繰り返し、時々刻々とポップアップ後の通電量調整を可能にすることにより、部品の経時変化による通電量の変化に対応することが出来る。また、段階的に変化させる幅を細分化し、図４のステップＳ３１５→Ｓ３１７の動作を繰り返することにより、過剰な電流供給を抑えることができ、消費電力の低減を図ることができる。
【００４７】
また、通電量の変化可能範囲を予め定めておき、レベルアップ、もしくはレベルダウンを繰り返すことにより、最終的に上記の通電量変化可能範囲から外れてしまった場合、カメラシステム制御部８４に通電量範囲外のエラー伝達を行い、そのエラー内容を画像表示部２６へ表示する、つまり警告表示を行うようにすることにより、ストロボ装置５４のポップアップを適正に行えない状態であることを使用者に認識させることが可能となる。
【図面の簡単な説明】
【００４８】
【図１】本発明の実施例に係わる撮像装置の回路構成を示すブロック図である。
【図２】図１の撮像装置に具備されるストロボ装置およびプランジャー装置の構成図である。
【図３】図１のポップアップ振動判定部８０にて実行されるポップアップ振動判定処理を示すフローチャートである。
【図４】図１の通電量調整部８２にて実行される通電量調整処理を示すフローチャートである。
【符号の説明】
【００４９】
１２  シフトレンズ
２６  画像表示部
３０  メモリ制御部
３２  画像表示記憶部
３４  画像処理部
５４  ストロボ装置
５６  シフトレンズ制御部
６０  防振制御部
６４  振動検出部
７０  緊定レバー
７２  プランジャー装置
８０  ポップアップ振動判定部
８２  通電量調整部
８４  カメラシステム制御部
【図１】
2006220900.tif 000003
【図２】
2006220900.tif 000004
【図３】
2006220900.tif 000005
【図４】
2006220900.tif 000006